【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
複数の潜在的経路を持つ通信フローにより送信者から少なくとも１人の受信者にメッセージを送るための方法であって、
前記少なくとも１人の受信者から応答を受信するステップと、
前記応答に基づき前記通信フロー内の少なくとも１つの経路を選択するステップを含む方法。
【請求項２】
前記選択するステップは、１人または複数の受信者へのその後続く通信を決定するステップを含む請求項１に記載の方法。
【請求項３】
前記選択するステップは、応答情報を前記送信者に返す完了ステータスを決定するステップを含む請求項１に記載の方法。
【請求項４】
前記応答情報が前記送信者により指定された形式で前記送信者に供給されるようになっている請求項３に記載の方法。
【請求項５】
前記メッセージが前記対応する少なくとも１人の受信者により指定された環境設定情報に従って前記少なくとも１人の受信者に供給される請求項１に記載の方法。
【請求項６】
前記メッセージの内容は、前記メッセージが前記少なくとも１人の受信者に送られるのとほとんど時期が接近して得られる請求項１に記載の方法。
【請求項７】
さらに、前記通信フローを評価するステップを含み、前記通信フローは前記少なくとも１人の受信者により定義された少なくとも１つの通信フロー規則を参照し、前記通信フロー規則は前記受信者の少なくとも１つの環境設定を指定するステップを含む請求項１に記載の方法。
【請求項８】
前記通信フローは、前記少なくとも１人の受信者と関連する企業により指定された通りの前記少なくとも１人の受信者の少なくとも１つの環境設定を参照する請求項１に記載の方法。
【請求項９】
通信フローにより送信者から少なくとも１人の受信者にメッセージを送るための方法であって、
前記送信者から前記メッセージを受信することと、
前記通信フローを評価し、前記通信フローにより前記メッセージを配送するための前記送信者の少なくとも１つの環境設定を指定することと、
前記送信者の前記環境設定に基づき前記メッセージを処理することを含む方法。
【請求項１０】
複数の潜在的経路を持つ通信フローにより送信者から少なくとも１人の受信者にメッセージを送るための方法であって、
前記送信者から前記メッセージを受信することと、
前記通信フローを評価し、前記メッセージを処理する方法を指示する少なくとも１つのプリミティブ・キーワードを含む通信フロー式により前記通信フローを制御することと、
前記通信フロー式に基づき前記メッセージを処理することとを含む方法。
【請求項１１】
通信フローにより送信者から少なくとも１人の受信者にメッセージを送るための方法であって、
前記送信者から前記メッセージを受信することと、
前記通信フローを評価し、前記通信フローは前記メッセージが前記少なくとも１人の受信者に送られるのとほとんど時期が接近して評価されることと、
前記送信者の前記環境設定に基づき前記メッセージを処理することを含む方法。
【請求項１２】
さらに、前記メッセージが前記少なくとも１人の受信者に送られるのとほとんど時期が接近して前記メッセージの内容を取得するステップを含む請求項１１に記載の方法。
【請求項１３】
複数の潜在的経路を持つ通信フローにより送信者から少なくとも１人の受信者にメッセージを送るための方法であって、
前記送信者から前記メッセージを受信することと、
前記通信フローを評価し、前記メッセージを処理する方法を指示する通信フロー式を含む通信フロー式により前記通信フローを制御し、前記通信フロー式は３値論理を使用して評価されることと、
前記通信フロー式に基づき前記メッセージを処理することを含む方法。
【請求項１４】
複数の潜在的経路を持つ通信フローにより送信者から少なくとも１人の受信者にメッセージを送るためのシステムであって、
コンピュータ読み取り可能コードを格納するメモリと、
前記メモリに結合され動作可能なプロセッサを備え、前記プロセッサは前記コンピュータ読み取り可能コードを実行するように構成され、前記コンピュータ読み取り可能コードは、
前記少なくとも１人の受信者から応答を受信し、
前記応答に基づき前記通信フロー内の少なくとも１つの経路を選択するように構成されていることを含むシステム。
【請求項１５】
通信フローにより送信者から少なくとも１人の受信者にメッセージを送るためのシステムであって、
コンピュータ読み取り可能コードを格納するメモリと、
前記メモリに結合され動作可能なプロセッサを備え、前記プロセッサは前記コンピュータ読み取り可能コードを実行するように構成され、前記コンピュータ読み取り可能コードは、
前記送信者から前記メッセージを受信し、
前記通信フローを評価し、前記通信フローにより前記メッセージを配送するための前記送信者の少なくとも１つの環境設定を指定し、
前記送信者の前記環境設定に基づき前記メッセージを処理するように構成されているシステム。
【請求項１６】
複数の潜在的経路を持つ通信フローにより送信者から少なくとも１人の受信者にメッセージを送るためのシステムであって、
コンピュータ読み取り可能コードを格納するメモリと、
前記メモリに結合され動作可能なプロセッサを備え、前記プロセッサは前記コンピュータ読み取り可能コードを実行するように構成され、前記コンピュータ読み取り可能コードは、
前記送信者から前記メッセージを受信し、
前記通信フローを評価し、前記メッセージを処理する方法を指示する少なくとも１つのプリミティブ・キーワードを含む通信フロー式により前記通信フローを制御し、
前記通信フロー式に基づき前記メッセージを処理するように構成されているシステム。
【請求項１７】
通信フローにより送信者から少なくとも１人の受信者にメッセージを送るためのシステムであって、
コンピュータ読み取り可能コードを格納するメモリと、
前記メモリに結合され動作可能なプロセッサを備え、前記プロセッサは前記コンピュータ読み取り可能コードを実行するように構成され、前記コンピュータ読み取り可能コードは、
前記送信者から前記メッセージを受信し、
前記通信フローを評価し、前記通信フローは前記メッセージが前記少なくとも１人の受信者に送られるのとほとんど時期が接近して評価され、
前記送信者の前記環境設定に基づき前記メッセージを処理するように構成されているシステム。
【請求項１８】
複数の潜在的経路を持つ通信フローにより送信者から少なくとも１人の受信者にメッセージを送るためのシステムであって、
コンピュータ読み取り可能コードを格納するメモリと、
前記メモリに結合され動作可能なプロセッサを備え、前記プロセッサは前記コンピュータ読み取り可能コードを実行するように構成され、前記コンピュータ読み取り可能コードは、
前記送信者から前記メッセージを受信し、
前記通信フローを評価し、前記メッセージを処理する方法を指示する通信フロー式により前記通信フローを制御し、前記通信フロー式は３値論理を使用して評価され、
前記通信フロー式に基づき前記メッセージを処理するように構成されているシステム。
【請求項１９】
複数の潜在的経路を持つ通信フローにより送信者から少なくとも１人の受信者にメッセージを送るためのシステムであって、
前記少なくとも１人の受信者から応答を受信する手段と、
前記応答に基づき前記通信フロー内の少なくとも１つの経路を選択する手段を備えるシステム。
【請求項２０】
複数の潜在的経路を持つ通信フローにより送信者から少なくとも１人の受信者にメッセージを送るためのシステムであって、
前記送信者から前記メッセージを受信する手段と、
前記通信フローを評価し、前記メッセージを処理する方法を指示する少なくとも１つのプリミティブ・キーワードを含む通信フロー式により前記通信フローを制御する手段と、
前記通信フロー式に基づき前記メッセージを処理する手段とを備えるシステム。